(57)【特許請求の範囲】
【請求項１】
手術用縫い糸（２０）及び針（２２）のための支持帯封（１００）であって、
それぞれの折畳み線（１５０，１８０）によって対で連結された第1の要素（１１０）、第2の要素（１３０）及び第３の要素（１６０）を具備し、
縫合糸（２０）が、第１の要素（１１０）と第２の要素（１３０）との間に位置し、
該第３の要素（１６０）が、ヒンジ軸（１６６）に旋回可能に取り付けられた開放フラップ（１６３）を含み、
縫合針（２２）は、開放フラップ（１６３）のヒンジ軸（１６６）から間隔を置き且つ縫合糸（２０）が第１の要素（１１０）と第２の要素（１３０）の間から出るゾーンから間隔をおいて、開放フラップ（１６３）に固定されて、支持帯封を開放するとき、開放フラップ（１６３）の旋回によって、縫合針（２２）を、第１の要素（１１０）及び第２の要素（１３０）から離すように移動させ、これによって、縫合針（２２）の把持を容易にし、
該旋回可能なヒンジ式フラップ（１６３）が、発泡体ブロック（１６７）からなる、針（２２）を該フラップ（１６３）に固定するための手段を有し、
支持帯封（１００）に容積を与えるように設計された、実質的に隣接し且つ平行な２列の刻み目（１８５、１８８）を有する、少なくとも一つの折畳み線（１８０）を含み、
該第１の要素（１１０）が、縫合糸（２０）がコイル状にされる時に、縫合糸（２０）のための支持として使用されるペグを収容するように設計された窓（１１１、１１２、１１３、１１４）を有し、
該第１の要素（１１０）が、端部縁（１０１、１０２）に切開し、それに関して傾斜する刻み目（１１５、１１６）を有し、
該第２のが要素（１３０）が、刻み目線（１４０）によって2つの部分（１３２、１４２）に分割され、これら2つの部分（１３２、１４２）の両方が、刻み目線（１４０）のそれぞれの対向側においてそれぞれの突出する舌状物（１３３、１４３）を具備し、この突出する舌状物（１３３、１４３）は、支持帯封を係止するために相補的刻み目（１８３）に差し込むように設計されており、
該第２の要素（１３０）が、支持帯封を閉位置において係止するために、相補的な刻み目（１７０、１７５）の組と協働するように設計された少なくとも一つの突出するラグ（１３４、１４４）を有し、
該第２の要素（１３０）が、折り畳みの後、支持帯封の第１の要素（１１０）に形成した窓（１１３、１１４）に重なるように位置する、ヒンジ式フラップ（１３６）を有し、
該第２の要素（１３０）が、支持帯封構造が折リ畳まれた後、第１の要素（１１０）にある窓（１１１、１１２）に重なるように位置する切欠き（１４６）を有し、
該第３の要素（１６０）が、帯封の端部縁（１０１、１０２）に切開し、第１の要素（１１０）において形成した相補的な刻み目（１１５、１１６）と協働するように設計された、刻み目（１６１、１６２）を有し、
該第３の要素（１６０）が、隣接する第２の要素（１３０）に形成された突出するラグ（１３４、１４４）と協働するように設計された少なくとも一組の刻み目（１７０、１７５）を含み、該刻み目の各組が、2つの刻み目（１７１、１７６）を具備し、各刻み目はほぼ直交する支持帯封の縦縁（１６１）に切開する第１区分（１７２、１７７）及び第１区分に伴われ帯封の内側の方に発散する第２区分（１７３、１７８）を有する、
ことを特徴とする、手術用縫い糸及び針のための支持帯封。
【発明の詳細な説明】
【０００１】
【産業上の利用分野】
本発明は、手術用縫い糸のための包装の分野に関する。
【０００２】
【従来の技術】
手術用縫い糸のための多数の形式の包装が、すでに提案されている。
【０００３】
例えば、無菌外包に挿入される前に、厚紙さやに置かれるように設計されたプラスチック材料の受け台を具備する包装が提案された。
【０００４】
また、無菌外包の内側に置かれるように設計された簡易カード帯封を具備する手術用縫い糸のための包装が提案された。
【０００５】
【発明が解決しようとする問題点】
本発明の目的は、手術用縫い糸のための以前に公知な包装を改良することである。
【０００６】
特に、本発明の重要な目的は、縫合針への接近を容易にするように設計された手術用縫い糸のための新規な包装を提案することである。
【０００７】
本発明の文脈において、この目的は、それぞれの折畳み線によって対で連結された３つの要素から作り上げられたカードブランクにおいて刻み目と折り目を具備し、縫合糸が、支持帯封の２つの隣接要素の間に本来的に位置し、そして帯封は、さらに、第３要素において旋回可能にヒンジで取り付けた開放フラップを含み、縫合針は、そのヒンジ軸と、糸が最初に述べた２つの要素の間から出現するゾーンとから距離をあけて該開放フラップに固定され、支持帯封を開放することにより、開放フラップの旋回は、針を支持帯封の基本構造から移動させ、これにより、後に針を容易に把持させることを特徴とする、手術用縫い糸のための支持帯封によって達成される。
【０００８】
【問題点を解決するための手段】
都合の良いことに、発明の別の特徴により、針を開放フラップに固定するための手段は、泡のブロックによって形成され、開放フラップが旋回する時、針が支持帯封の基礎構造から移動するだけでなく、それはまた、泡のブロックの内側で旋回するように適合される。この旋回は、針を開放フラップから解放させることを可能にし、これにより、それを適正に把持することを可能にする。
【０００９】
本発明の他の特徴、目的及び利点は、非制限的な実施例により与えられた添付の図面を参照して、次の詳細な説明を精読することにより明らかになる。
【００１０】
【実施例】
添付の図１において見られる如く、本発明の手術用縫い糸のための包装は、本来的に、外包１０に入れられた支持帯封１００を具備する。
【００１１】
外包１０は、それ自体従来のものであり、このため、以下に詳細には記載されない。
【００１２】
それにも拘わらず、外包１０は滅菌されていることが想起される。それは、都合の良いことに、周囲において連結され、剥離するために適切な２つのシートから作成され、これにより、閉鎖され支持帯封１００を含むために適切なポケットを形成する。非制限的な実施例として、外包１０は、紙ベースのシートと光学的に透明なプラスチック素材から作られた第２シートとから成る。
【００１３】
添付の図面において、縫合糸は、参照番号２０であるが、その針は参照番号２２である。
【００１４】
本発明の支持帯封１００の構造が、以下に詳細に記載される。
【００１５】
支持構造１００は、図４に示された如く、単一カードブランクを切断し折り畳むことにより作成される。
【００１６】
図４を検討することによりわかる如く、カードブランクは、初期的に、全体外形線において一般矩形である。さらに正確には、３つの要素１１０、１３０と１６０が、折り畳むことによりブランクにおいて規定される。これらの要素１１０、１３０と１６０は、以下に非常に詳細に記載されるヒンジ線１５０と１８０によって対で連結される。
【００１７】
以下の詳細な説明を簡単化するために、要素１１０は、「中央」要素として参照され、要素１３０は、（帯封が閉鎖された後帯封の内側に置かれるために）「内側」要素として参照され、そして要素１６０は、（帯封が閉鎖された後帯封の外側に置かれるために）「外側」要素として参照される。
【００１８】
加えて、用語「内側縦縁」と「外側縦縁」は、図４において参照番号１３１と１６１のブランクの縁に対してそれぞれ使用され、そして用語「端部縁」は、図４において参照番号１０１と１０２の縁に対して使用される。端部縁１０１と１０２は、縦縁１３１と１６１に直交する。
【００１９】
上記の折畳み線１５０と１８０は、縦縁１３１と１６１に一般平行であり、かつ、端部縁１０１と１０２に垂直である。
【００２０】
図４は、ブランク又は帯封の内面を示す。
【００２１】
中央要素１１０と内側要素１３０を相互連結する折畳み線１５０は、縦縁１３１と１６１に平行な非接触の直線区分によって構成した一連の刻み目１５２を含む。
【００２２】
区分１５２は、こうして、端部縁１０１と１２０の間に一般に配設される。
【００２３】
区分１５２は、すべて整列している。
【００２４】
第２折畳み線１８０は、中央要素１１０と外側要素１６０の間に形成される。
この折畳み線１８０は、
端部縁１０２に整列し、かつ隣接する２つの非接触直線刻み目区分１８１と、
互いと区分１８１と整列し、他方の端部縁１０１に隣接する２つの非接触直線刻み目区分１８２と、
上記の区分１８１と１８２と整列する中央直線刻み目区分１８３と、
一方が区分１８１と中央区分１８３の間に位置し、他方が中央区分１８３と区分１８２の間に位置する刻み目１８４と１８７の対称な２つの組とから成る。
【００２５】
２つの組１８４と１８７の各々は、それぞれ参照番号１８５と１８８の２つの刻み目列を具備する。各刻み目列１８５又は１８８は、整列した直線区分から成る。加えて、各組を構成する２つの刻み目列、すなわち、組１８４の列１８５と組１８７の列１８８は、中央区分１８３の方に発散する。
【００２６】
さらに、組１８４と１８７の各々は、それぞれ参照番号１８６と１８９のＶ形状の２つの付加区分を有する。こうして、付加区分１８６と１８９は、中央区分１８３に収束し、そしてそれらは、該中央区分１８３のそれぞれの端部を、上記の区分１８５と１８８の列の端部に連結する。
【００２７】
刻み目区分１８１〜１８９によってこうして規定された折畳み線１８０は、支持帯封１００に容積を伝える目的を有する。技術における当業者は、折り畳みの後、支持帯封１００の厚さが、それぞれ刻み目区分１８５と１８８の２つの列の間の間隔に対応することを容易に理解するであろう。換言すれば、支持帯封の厚さは、端部縁１０１と１２０から始まり、帯封の中央の方へと次第に増大する。
中央要素１１０の構造が以下に記載される。
【００２８】
この中央要素１１０は、２対の通し窓１１１、１１２、１１３と１１４を有する。各窓１１１、１１２、１１３と１１４は、一般に、丸い隅部を具える伸長矩形の形式である。窓１１１と１１２、及び１１３と１１４の各対は、要素１１０に直交し、折畳み線１５０と１８０に平行な中央平面の回りで対称的である。
【００２９】
第１対の窓１１１と１１２は、端部縁１０２に接近して位置するが、第２対の窓１１３と１１４は、第２端部縁１０１に接近して位置する。窓１１１、１１２、１１３と１１４は、折畳み線１５０と１８０に平行に伸長する。
【００３０】
窓１１１、１１２、１１３と１１４の目的は、縫合糸が輪状にされる間、縫合糸のための一時的支持として従来の方法で役立つペグを通過させることである。中央要素１１０はまた、それぞれ、その端部縁１０１と１０２においてまっすぐな刻み目１１５と１１６を含む。
【００３１】
刻み目１１５と１１６は、好都合にも４５°において、端部縁１０１と１０２に関して傾斜する。
【００３２】
刻み目１１５と１１６は、カードブランク１００の内側の方に行くにつれて折畳み線１５０の方に収束する。
【００３３】
刻み目１１５と１１６は、中央要素１１０においてほぼ中央で端部縁１０１と１０２に切開する。
【００３４】
さらに正確には、刻み目１１５と１１６の各中点は、好ましくは、刻み目１１５と１１６が端部縁１０１と１０２の中点と折畳み線１８０の間に切開する如く、中央要素１１０の端部縁１０１と１０２の各中央と同一水準に位置する。
【００３５】
内側要素１３０の構造が、以下に記載される。
【００３６】
内側要素１３０は、好ましくは、刻み目１４０により、２つの部分１３２と１４２に分割される。
【００３７】
刻み目１４０は、都合の良いことに、直線である。それは、折畳み線１５０を縦縁１３１に連結する。さらに正確には、直線刻み線１４０は、都合の良いことに、折畳み線１５０と縦縁１３１に関して傾斜する、すなわち、それに垂直ではない。
【００３８】
刻み目１４０は、縦縁１３１の方に行く時、端部縁１０１の方に収束する。
【００３９】
刻み目１４０は、縦縁１３１に沿ってほぼ中途で縦縁１３１に切開する。
【００４０】
内側要素１３０は、刻み目１４０のそれぞれの側で、すなわち、それぞれ２つの部分１３２と１４２において、縦縁１３１を越える２つの突出する舌状物１３３と１３４を有する。
【００４１】
端部縁１０１と１０２に平行に測定した時、内側要素１３０の幅は、中央要素１１０の対応する幅に等しく、そのため、突出する舌状物１３３と１４３の目的は、上記の中央刻み目１８３に差し込み、内側要素１３０と中央要素１１０を閉位置において対面させて一緒に保持することである。
【００４２】
折畳み線１５０と同一水準で、内側要素１３０の２つの部分１３２と１４２の各々は、それぞれの突出するラグ１３４、１４４を備える。ラグ１３４と１４４は、好ましくは、直線の外形線である。それらは、それぞれのＵ形状刻み目１３５と１４５によって規定される。これらのラグ１３４と１４４は、こうして、中央要素１１１内に、すなわち、折畳み線１５０を越えて展開する。ラグ１３４と１４４の目的は、支持帯封１００をその閉位置において係止するために、外側要素１６０の縦縁１６１における相補的刻み目と協働することである。
【００４３】
端部縁１０１に隣接する内側要素１３０の第１部分１３２は、さらに、旋回可能なヒンジ式フラップ１３６を含む。フラップ１３６は、Ｕ形状刻み目１３７によって規定される。それは、整列した一連の非接触直線刻み目区分１３８によって形成した折畳み線により部分１３２にヒンジで取り付けられる。区分１３８は、Ｕ形状刻み目１３７の端部の間に走っている。
【００４４】
フラップ１３６は、内側要素が折畳み線１５０で折り畳むことにより中央要素１１０に対して置かれる時、中央要素１１０の窓１１３と１１４に対面して位置するような方法で部分１３２に位置付けられる。フラップ１３６の目的は、巻かれた糸を適所に保持させながら、内側要素１３０の部分１３２と窓１１３と１１４に置かれたペグの間の干渉を防止することである。
【００４５】
こうして、下記の如く、支持帯封を組み立てるために、内側要素１３０は、窓１１３と１１４に置かれたペグが回収される前に、中央要素１１０に対して折り畳まれる。
【００４６】
好ましくは、部分１３２は、縦縁１３１上に、端部縁１０１に近隣して設けられ、湾曲部１３９は、部分１３１の内側に湾入され、縦縁１３１を越えて突出する歯１４１を従え、この歯１４１は端部縁１０１に隣接する。
【００４７】
添付の図を検討することにより理解される如く、この湾曲部１３９と歯１４１は、帯封が開かれる間、ある自由度を糸に残しながら、歯２２に隣接する部分において糸を保持するために役立つ。
【００４８】
内側要素１３０の端部縁１０１は、中央要素１１０において形成され、対応する端部縁１０１に切開する刻み目１１５から湾入される。換言すれば、縦縁１３１に平行に取られた内側要素１３０の長さは、中央要素１１０の対応する長さよりも短い。
【００４９】
第２部分１４２は、端部縁１０２を縦縁１３１に連結する大きな切欠き１４６を設けられる。この切欠き１４６は、中央要素１１０において形成した窓１１１と１１２に対面して位置し、該部分１４２が窓１１１と１１２に置かれたペグに干渉することなく、部分１４２を中央要素１１０に対して折り畳ませるためにフラップ１３６に匹敵する方法で作用する。
【００５０】
図に示された如く、外側要素１６０の構造が以下に記載される。
【００５１】
外側要素１６０は、端部縁１０１と１０２にそれぞれ切開する２つの直線刻み目１６１と１６２を有する。刻み目１６１と１６２は、該端部縁１０１と１０２に垂直であり、外側要素１６０の幅の中途に位置する。刻み目１６１と１６２の目的は、特に図１に示された如く、中央要素１１０における刻み目１１５と１１６によって規定した２つの三角形状を収容し、これにより、閉位置にある時、帯封を閉じて保持することである。
【００５２】
折畳み線１８０とは反対側の外側要素１６０の縦縁１６１は、内側要素１３０のラグ１３４、１４４と協働するように設計された刻み目を有する。さらに正確には、２組の刻み目１７０、１７５が、こうして設けられ、各組は、それぞれのラグ１３４又は１４４と対応するように設計される。
【００５３】
各組１７０、１７５は、縦縁１６１に直交する平面の回りで対称的に配設された２つの刻み目１７１、１７６を具備する。
【００５４】
さらに正確には、各刻み目１７１、１７６は、第１区分１７２、１７７と第２区分１７３、１７８を具備する。
【００５５】
各第１区分１７２、１７７は、直線であり、それに垂直な縦縁１６１に切開する。各第２区分１７３、１７８は、外側要素１６０の内部に対応する第１要素１７２、１７７を進展させる。各直線第２区分１７３、１７８は、縦縁１６１に関して数度で傾斜する。それは、それ自身の自由端部の方に進むにつれて、該縦縁１６１から発散する。加えて、各組１７０、１７５の第２区分１７３、１７８は、相互に発散し、それらの自身の自由端部の方に進む。
【００５６】
第１区分１７２又は１７７の各対の間の距離は、折畳み線１５０、１８０に平行に測定した時、ラグ１３４、１４４の各幅よりも小さい。しかし、第２区分１７３と１７８の対応する対の端部の間の距離は、上記のラグ１３４、１４４の幅よりも大きい。
【００５７】
外側要素１６０はまた、フラップ１６３を含む。フラップ１６３は、折畳み線１８０を越えて突出するタブ１６４を有する。タブ１６４は、端部縁１０１に隣接する。
【００５８】
タブ１６４の目的は、フラップ１６３を下記の方法で旋回させて、外側要素１６０の残部からフラップを部分的に分離する目的のために、フラップ１６３の把持を容易にすることである。
【００５９】
フラップ１６３は、いろいろな刻み目区分１６５によって形成した破線によって部分的に規定される。
【００６０】
フラップ１６３は、整列するいろいろな非接触直線刻み目区分１６６からできた線を介して外側要素１６０にヒンジで取り付けられる。これらの区分１６６は、縦縁１６１に接近して端部縁１０１に切開する。区分１６６は、該縦縁１６１に平行である。
【００６１】
フラップ１６３を規定する区分１６５は、こうして、端部縁１０１に接近してヒンジ線１８０に刻み目区分１６６の線の内側端部を連結する。
【００６２】
フラップ１６３はまた、除去可能なやり方で縫合針２２を保持するための手段を備える。これらの保持手段は、好ましくは、添付の図面において参照番号１６７を与えられた泡ブロック又は等価物によって形成される。直線の外形線である泡ブロック１６７は、刻み目区分１６６によって形成した旋回ヒンジ線に接近して、好ましくはそれに沿ってほぼ中途で、フラップ１６３に付着される。
【００６３】
３つの要素１１０、１３０と１６０の隅部は、好ましくは丸くされることが観察される。
【００６４】
本発明の縫い糸支持帯封１００を組み立てるための手順は、本質的に次の如くである。
【００６５】
上記の多様な構造が切込まれた後、ブランク１００は、従来の巻取機において平面状態において提示される。こうして、糸支持ペグが、窓１１１、１１２、１１３と１１４において位置付けられる。
【００６６】
縫合糸は、それから、上記のペグにおいて従来の方法で輪状にされる。縫合糸は、使用される糸の偶然のもつれを防止するために従来の方法で８字構成において好都合に輪状にされる。
【００６７】
輪状化の後、内側要素１３０の２つの部分１３２と１４２は、上記のペグと干渉することなく、中央要素１１０に対して順次に折り畳まれる。縫合糸は、こうして、中央要素１１０と内側要素１３０の間の適所に適正に保持される。それから、上記のペグが回収される。
【００６８】
部分１３２と１４２は、それぞれの突出する舌状物１３３、１４３を中央刻み目１８３に挿入することにより、中央要素１１０に係止される。縫合針２２は、泡ブロック１６７に押し込まれる。それから、外側要素１６０が、内側要素１３０に対して折り返される。
【００６９】
外側要素１６０は、まず、ラグ１３４と１４４を２組の刻み目１７５と１７０に係合させ、第２に、刻み目１１５と１１６によって規定された形状を刻み目１６２と１６１における中央要素１１０に係合させることにより、適所に保持される。
【００７０】
使用において、タブ１６４を保持し、それを使用してフラップ１６３を押し戻し、区分１６５を前分離する架橋を破壊し、これにより、図２と図３に見られる如く、区分１６６によって規定したヒンジ線の回りでフラップ１６３を旋回させれば十分である。
【００７１】
それから、使用者は、針２２に十分に接近することができる。
【００７２】
発明の重要な特徴により、針２２は、好ましくは、ヒンジリンク１６６から距離をあけて泡ブロック１６７に初期的に係合されるために、外側要素１６０の残部に関してフラップ１６３を旋回させる事実は、図３に見られる如く、支持帯封から針を移動させる効果を有することが観察される。この針２２のオフセットは、例えば、ピンセットシステムを用いて、続く把持を容易にする。
【００７３】
加えて、フラップ１６３は、ピンセットシステムを案内するために使用され、針２２の把持をさらに容易にする。
【００７４】
本発明の支持帯封は、特に簡単で、信頼性が良く、かつ使用が容易であり、針２２が使用の前に確実に保持されることを保証する。
【００７５】
適切な場合に、カードから作成された支持帯封１００は、例えば、糸２０又は針２２の種類と、また、その寸法を識別するために、その外面において印刷される。
【００７６】
この目的のために、外包１０は、好ましくは、少なくとも一つの光学的に透明なシートを含み、外包１０が開放される前に、支持帯封１００に印刷した情報を読み取らせることができる。
【００７７】
当然、本発明は、記載された特定の実施態様に限定されず、その精神内に入る任意の変形に拡張される。
【００７８】
こうして、一つの変形において、支持帯封１００は、単一糸２０又は複数の糸に固着した２つ以上の針２２を据え付けた縫合糸を収容する。そのような状況下で、外側要素１６０において２つ以上の泡ブロックを設けることが都合が良い。これらの２つの泡ブロックは、フラップの開放が多様な針２２のすべてを同時にオフセットさせるように旋回可能なヒンジ式フラップ１６３に固定される。
【００７９】
別の変形において、他の針２２を収容するように設計され、かつ、フラップ１６３ではなく、要素１６０の内面に付着される少なくとも一つの第２泡ブロックとともに、フラップ１６３において固定された第１針２２を収容する泡ブロック１６７を設けることが可能である。
【００８０】
そのような状況下で、付加的な泡ブロックが、オプションとして、フラップ１６３に類似する付加フラップに配置され、外側要素１６０に旋回可能にヒンジで取り付けられ、上記の付加フラップを開放することにより、他方の針を支持帯封から移動させる。
【００８１】
図３を検討することによりわかる如く、ヒンジ式フラップ１６３が開位置にある時、それは支持帯封のための支えとして使用され、帯封を一般垂直位置において直立させる。
【００８２】
また、本発明により、縫合糸２０は、中央要素１１０と内側要素１３０の間に本来位置するが、針２２は、内側要素１３０と外側要素１６０の間に位置することが観察されるであろう。結果として、内側要素１３０は、糸２０から針２２を分離するために役立ち、これにより、保管中、糸２０の劣化を回避する。
【００８３】
本発明の主なる特徴及び態様は以下のとおりである。
【００８４】
１．それぞれの折畳み線（１５０、１８０）によって対で連結された３つの要素（１１０、１３０、１６０）から作り上げられたカードブランクにおいて刻み目と折り目を具備し、縫合糸（２０）が、支持帯封の２つの隣接要素（１１０、１３０）の間に本来的に位置し、そして帯封は、さらに、第３要素（１６０）において旋回可能にヒンジで取り付けられた開放フラップ（１６３）を含み、縫合針（２２）は、そのヒンジ軸（１６６）と、糸（２０）が最初に述べた２つの要素の間から出現するゾーン（１３９）から距離をあけて該開放フラップ（１６３）に固定されて、支持帯封を開放するとき、開放フラップ（１６３）の旋回は、針（２２）を支持帯封の基本構造から移動させ、これにより針（２２）の続く把持を容易にすることを特徴とする、手術用縫い糸（２０、２２）のための支持帯封。
【００８５】
２．針（２２）を旋回可能なヒンジ式フラップ（１６３）に固定するための手段が、泡ブロック（１６７）を具備する事実を特徴とする上記１に記載の支持帯封。
【００８６】
３．支持帯封（１００）に容積を与えるように設計された少なくとも一つの折畳み線（１８０）を含む事実を特徴とする上記１又は２に記載の支持帯封。
【００８７】
４．実質的に隣接し、かつ平行な２列の刻み目（１８５、１８８）を含む少なくとも一つの折畳み線（１８０）を含む事実を特徴とする上記３に記載の支持帯封。
【００８８】
５．２つの折畳み線（１５０、１８０）の間の中央要素（１１０）を含み、輪状にされる間、縫合糸のための支持として使用されるペグを収容するように設計された窓（１１１、１１２、１１３、１１４）を有する事実を特徴とする上記１〜４のいずれか一つに記載の支持帯封。
【００８９】
６．端部縁（１０１、１０２）に切開し、それに関して傾斜する刻み目（１１５、１１６）を有する要素（１１０）を含む事実を特徴とする上記１〜５のいずれか一つに記載の支持帯封。
【００９０】
７．刻み目線（１４０）によって２つの部分（１３２、１４２）に分割される要素（１３０）を含む事実を特徴とする上記１〜６のいずれか一つに記載の支持帯封。
【００９１】
８．２つの部分（１３２、１４２）の両方が、刻み目線（１４０）のそれぞれの対向側においてそれぞれの突出する舌状物（１３３、１４３）を具備し、この突出する舌状物（１３３、１４３）は、支持帯封を係止するために相補的刻み目（１８３）に差し込むように設計される事実を特徴とする上記７に記載の支持帯封。
【００９２】
９．支持帯封を閉位置において係止するために、相補的な刻み目（１７０、１７５）の組と協働するように設計された少なくとも一つの突出するラグ（１３４、１４４）を有する少なくとも一つの要素（１３０）を含む事実を特徴とする上記１〜８のいずれか一つに記載の支持帯封。
【００９３】
１０．折り畳みの後、支持帯封の別の要素において形成した窓（１１３、１１４）に重なるように位置する、ヒンジ式フラップ（１３６）を有する少なくとも一つの要素（１３０）を含む事実を特徴とする上記１〜９のいずれか一つに記載の支持帯封。
【００９４】
１１．支持帯封構造が折り畳まれた後、別の要素（１１０）に置かれた窓（１１１、１１２）に重なるように位置する切欠き（１４６）を含む少なくとも一つの要素（１４２）を含む事実を特徴とする上記１〜１０のいずれか一つに記載の支持帯封。
【００９５】
１２．帯封の端部縁（１０１、１０２）に切開し、別の要素（１１０）において形成した相補的な刻み目（１１５、１１６）と協働するように設計された、刻み目（１６１、１６２）を含む少なくとも一つの要素（１６０）を含む事実を特徴とする上記１〜１１のいずれか一つに記載の支持帯封。
【００９６】
１３．隣接要素において形成した突出するラグ（１３４、１４４）と協働するように設計された少なくとも一つの刻み目（１７０、１７５）の組を含む事実を特徴とする上記１〜１２のいずれか一つに記載の支持帯封。
【００９７】
１４．刻み目（１７０、１７５）の各組が、２つの刻み目（１７１、１７６）を具備し、各刻み目は、ほぼ直交する支持帯封の縦縁（１６１）に切開する第１区分（１７２、１７７）を有し、帯封の内側の方に発散する第２要素（１７３、１７８）によって従われることを特徴とする上記１３に記載の支持帯封。
【００９８】
１５．旋回可能なヒンジ式フラップ（１６３）が、把持する目的のための突出タブ（１６４）を含むことを特徴とする上記１〜１４のいずれか一つに記載の支持帯封。
【００９９】
１６．外面において印刷した情報を含む事実を特徴とする上記１〜１５のいずれか一つに記載の支持帯封。
【０１００】
１７．少なくとも２つの針（２２）を含む事実を特徴とする上記１〜１６のいずれか一つに記載の支持帯封。
【０１０１】
１８．それぞれの針（２２）を収容するように設計された少なくとも２つの泡ブロック（１６７）を含む事実を特徴とする上記１７に記載の支持帯封。
【０１０２】
１９．上記１〜１８のいずれか一つに記載の支持帯封を収容する無菌外包を具備する事実を特徴とする手術用縫い糸のための包装。
【図面の簡単な説明】
【図１】本発明による手術用縫い糸のための包装の概略平面図である。
【図２】旋回可能なヒンジ式フラップが開放された後の本発明の支持帯封の平面図である。
【図３】上記の旋回可能なヒンジ式フラップが開放された後の同一の支持帯封の斜視図である。
【図４】本発明の支持帯封を作成するために使用されたカードブランクの平面図である。
【符号の説明】
１０  外包
２０  縫合糸
２２  針
１００  支持帯封
１１０  中央部分
１５０  折り畳み線
１６０  外側要素
１６３  フラップ
１８０  折り畳み線
１８２  刻み目区分
【図１】
0003942657.tif 000002
【図２】
0003942657.tif 000003
【図３】
0003942657.tif 000004
【図４】
0003942657.tif 000005